(57)【要約】【課題】強度及び耐衝撃性の高い口金を提供する。【解決手段】アース口金は、口金筐体１００、アース端子１６０、ホルダー２００を備える。口金筐体１００は、ベース部１１０、ベース部１１０から起立する内側筒部１３０、ベース部１１０から起立し、内側筒部１３０と二重円筒状をなす外側筒部１４０、壁部の内周側に形成されたホルダー係止用凹み部１５１，１５２を有する。アース端子１６０に外力や衝撃が加わった場合に、アース端子１６０と一体に固着されている内側筒部１３０の変位や、外側筒部１４０の変位を、ホルダー２００のホルダー側変位抑制部２３０やホルダー側筒部２４０によって規制する。この変位規制によってアース口金３００Ｅの強度及び耐衝撃性が高まる。【選択図】図１３
2015176838.tif 000002
【特許請求の範囲】
【請求項１】
板状のベース部と、
前記ベース部の周縁から前記ベース部の厚さの厚さ方向のうち一方の厚さ方向に起立する環状の壁部と、
前記壁部の内側で前記ベース部から前記壁部が起立する壁部起立方向に起立する筒状の第１の筒部と、
前記第１の筒部の内側で前記ベース部から前記壁部が起立する壁部起立方向に起立して、前記第１の筒部と二重円筒形状をなす筒状の第２の筒部と、
前記壁部の内周側に形成された係合部と
を有する筐体と、
前記筐体の前記ベース部と前記壁部とで形成される空間に収納される被収納体であって、前記筐体の前記係合部と係合して前記筐体の前記壁部起立方向への移動を拘束するホルダー側係合部と、
前記ベース部に加わる力による前記第１の筒部の前記壁部起立方向への変位を、前記第１の筒部の先と当たることで抑制するホルダー側変位抑制部と、
前記第１の筒部の内と前記第２の筒部の外との間に入れ子状に配置される筒状のホルダー側筒部とを有する被収納体と
を備えたことを特徴とする口金。
【請求項２】
前記筐体は、
前記壁部起立方向と反対方向に前記ベース部から起立する起立部を有することを特徴とする請求項１記載の口金。
【請求項３】
前記被収納体は、さらに、
板状をなすと共に前記筐体の前記ベース部に対向して配置されるホルダー側ベース部を有し、
前記ホルダー側係合部は、
板状の前記ホルダー側ベース部の外周に形成され、
前記ホルダー側変位抑制部は、
前記ベース部に対向する側の前記ホルダー側ベース部の一部であることを特徴とする請求項２記載の口金。
【請求項４】
前記ホルダー側ベース部は、
前記ベース部に対向する側の反対側に周縁の一部に沿って配置され、長手形状をなすヒートシンクの一端が取り付けられるヒートシンク取付部を有すること特徴とする請求項３記載の口金。
【請求項５】
前記起立部は、
アース端子と、二本の給電端子とのいずれかであることを特徴とする請求項２〜４のいずれかに記載の口金。
【請求項６】
アース端子が
前記起立部は、
前記アース端子であり、
前記第２の筒部は、
筒状の内部が、前記内部を貫通する前記アース端子の軸と固着されたことを特徴とする請求項５記載の口金。
【請求項７】
請求項１〜６のいずれかに記載の口金を備えたことを特徴とする照明ランプ。
【請求項８】
請求項７に記載の照明ランプを備えたことを特徴とする照明器具。
【発明の詳細な説明】
【技術分野】
【０００１】
この発明は、口金、照明ランプ及び照明器具に関する。
【背景技術】
【０００２】
従来、例えばＧＸ１６のアース口金は、アース端子あるいはアース端子が突き出るアース端子の根元周辺の筐体の部分に衝撃が加わると、口金筐体（樹脂キャップ）が破損する場合があった。照明装置のソケットに直管形ＬＥＤランプを装着する際に、衝撃破損による製品ロスや、破損状態でランプが装着される安全上のリスクを回避する必要がある。この点に関して、従来技術では、口金に補強部を設けて強度を向上する技術がある（例えば特許文献１）。
【先行技術文献】
【特許文献】
【０００３】
【特許文献１】特開２０１２−２１６３０３号公報
【発明の概要】
【発明が解決しようとする課題】
【０００４】
しかし従来技術では口金筐体自体に変更が必要であり、口金筐体の金型への大幅な変更、あるいは金型の新設が必要となる可能性がある。
【０００５】
この発明は、強度及び耐衝撃性の高い口金を提供することを目的とする。
【課題を解決するための手段】
【０００６】
この発明の口金は、
板状のベース部と、
前記ベース部の周縁から前記ベース部の厚さの厚さ方向のうち一方の厚さ方向に起立する環状の壁部と、
前記壁部の内側で前記ベース部から前記壁部が起立する壁部起立方向に起立する筒状の第１の筒部と、
前記第１の筒部の内側で前記ベース部から前記壁部が起立する壁部起立方向に起立して、前記第１の筒部と二重円筒形状をなす筒状の第２の筒部と、
前記壁部の内周側に形成された係合部と
を有する筐体と、
前記筐体の前記ベース部と前記壁部とで形成される空間に収納される被収納体であって、前記筐体の前記係合部と係合して前記筐体の前記壁部起立方向への移動を拘束するホルダー側係合部と、
前記ベース部に加わる力による前記第１の筒部の前記壁部起立方向への変位を、前記第１の筒部の先と当たることで抑制するホルダー側変位抑制部と、
前記第１の筒部の内と前記第２の筒部の外との間に入れ子状に配置される筒状のホルダー側筒部とを有する被収納体と
を備えたことを特徴とする。
【発明の効果】
【０００７】
この発明により、強度及び耐衝撃性の高い口金を提供できる。
【図面の簡単な説明】
【０００８】
【図１】実施の形態１の図で、照明器具１０００の斜視図。
【図２】図１のＸ方向矢視の図。
【図３】実施の形態１の図で、照明ランプ９００の平面図及び斜視図。
【図４】実施の形態１の図で、アース端子１６０を装着した口金筐体１００の斜視図。
【図５】図４の上面図。
【図６】図５のＡ−Ａ断面図及びＢ−Ｂ断面図等を示す図。
【図７】実施の形態１の図で、内径側周状突起部１５０の形状を示す図。
【図８】実施の形態１の図で、ホルダー２００のヒートシンク取付部２１１が見える斜視図。
【図９】実施の形態１の図で、ホルダー２００のヒートシンク取付部２１１が見える別の方向の斜視図。
【図１０】実施の形態１の図で、ホルダー２００のホルダー側筒部２４０が見える斜視図。
【図１１】実施の形態１の図で、ホルダー２００の六面図。
【図１２】図９（ａ）のＡ−Ａ断面図及びＢ−Ｂ断面図。
【図１３】実施の形態１の図で、照明ランプ９００組立て後の、口金筐体１００とホルダー２００との組付関係を示す図。
【図１４】実施の形態１の図で、口金筐体１００と、ホルダー２００と、光源ユニット７００との関係を示す図。
【図１５】図１４の光源ユニット７００のＨ−Ｈ断面図。
【図１６】実施の形態１の図で、ホルダー２００と光源ユニット７００との組立て工程を示す図。
【図１７】実施の形態１の図で、ホルダー２００と光源ユニット７００との組立て工程を示す図。
【図１８】実施の形態１の図で、の筒管の取付工程を示す図。
【図１９】実施の形態１の図で、口金筐体１００のホルダー２００への取り付けを示す図。
【図２０】実施の形態１の図で、照明ランプ９００の組立て工程における、ホルダー係止用凹み部とホルダー側係合凸部との係合を模式的に示す図。
【図２１】実施の形態１の図で、ホルダー係止用凹み部１５３の別の配置を示す。
【図２２】実施の形態２の図で、給電口金３００Ｆの正面図、左側面図、右側面図。
【図２３】図２２のＡ−Ａ断面図及びＢ−Ｂ断面図。
【発明を実施するための形態】
【０００９】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１〜図２０を参照して実施の形態１のアース口金３００Ｅ及び照明ランプ９００を説明する。
【００１１】
（アース口金３００Ｅの特徴）
実施の形態１のアース口金３００Ｅは、以下の特徴を有する。アース口金３００Ｅは、後述の図４の口金筐体１００（筐体）、アース端子１６０（起立部）及び後述の図８のホルダー２００を備える。後述の図１３は照明ランプ９００完成時における、口金筐体１００とホルダー２００との組付関係を示す図である。口金筐体１００は二重円筒状となっている内側筒部１３０、外側筒部１４０を持つ。アース端子１６０は、例えばインサート成形によって内側筒部１３０に固着されている。ホルダー２００はホルダー側筒部２４０を有している。照明ランプ９００完成時では、図１３のように内側筒部１３０、外側筒部１４０及びホルダー側筒部２４０が入れ子状となると共に、外側筒部１４０の先端である外側筒部先端部１４１がホルダー２００とわずかな隙間（１ｍｍ程度）で配置される。これらにより、アース端子１６０に力や衝撃が加わった場合には、上記の構成によって、内側筒部１３０、外側筒部１４０等の変位が規制され、口金筐体１００の破壊が防止される。この変位規制によってアース口金３００Ｅのベース部１１０におけるピン部１６２（アース端子の軸）の根元周辺の応力集中が緩和され、アース口金３００Ｅの強度及び耐衝撃性が高まる。以下に、本実施の形態１のアース口金３００Ｅの詳細を説明する。
【００１２】
（照明器具の構成）
図１は、本実施の形態１に係る照明器具１０００の斜視図である。図２は、照明器具１０００の図１におけるＸ方向矢視である。図１、図２に示すように、照明器具１０００は、器具本体１０１０と、アース側ソケット１０２０Ｅ、給電側ソケット１０２０Ｆとを備える。照明器具１０００は、直管形の照明ランプ９００が取り付けられる。照明器具１０００は、器具本体１０１０の長手方向の一端側に、給電機能を持たず、照明ランプ９００の端部の保持及びアース機能を有するアース側ソケット１０２０Ｅを備え、長手方向の他端側に給電側の給電側ソケット１０２０Ｆを備え、照明ランプ９００を装着することができる。
【００１３】
（照明ランプの外観）
図３は、照明ランプ９００の外観の例を示す図であり、照明ランプ９００の平面図及び斜視図である。図３の斜視図は、アース口金３００Ｅの部分と、給電口金３００Ｆの部分とを示したものである。給電口金３００Ｆは実施の形態２で詳しく説明する。
【００１４】
実施の形態１において、照明ランプ９００として直管形のＬＥＤ（発光ダイオード）ランプを例に説明を進めるが、照明ランプ９００の形状は直管形に限定されるものではなく、照明ランプ９００の種類もＬＥＤに限定されるものではない。
【００１５】
照明ランプ９００は、図３の平面図のように、円筒状のアース口金３００Ｅと、円筒の筒管６００と、円筒状の給電口金３００Ｆとを備える。実施の形態１では照明ランプ９００は給電口金３００Ｆを備えてもよいが、従来の給電口金でもよい。実施の形態１では照明ランプ９００は、アース口金３００Ｅ（実施の形態１）を備えていればよい。
【００１６】
図３の斜視図のように、給電口金３００Ｆは、口金筐体１００と、１対の給電端子（給電ピン）である給電端子３１０Ｆ（起立部）と給電端子３２０Ｆ（起立部）とを備える。
【００１７】
また、図３の斜視図のように、アース口金３００Ｅはアース端子１６０（ＧＮＤ端子、グランド端子）を備える。アース端子１６０は、外側板部１６１、ピン部１６２、フランジ部１６３、内側板部１６４を備える。ピン部１６２は外側板部１６１と内側板部を連結する。ピン部１６２の途中にフランジ部１６３が形成されている。後述する口金筐体１００は例えば樹脂であり、給電端子３１０Ｆと給電端子３２０Ｆとアース端子１６０とは例えば金属である。
【００１８】
（アース口金３００Ｅ）
以下にアース口金３００Ｅを説明する。アース口金３００Ｅは、口金筐体１００（後述の図４）と、アース端子１６０と、ホルダー２００（後述の図６）とを備える。まず口金筐体１００から説明する。
【００１９】
（口金筐体１００）
図４〜図７を参照して口金筐体１００を説明する。図４は、アース端子１６０を装着状態の口金筐体１００の斜視図である。図５は、図４の上面図である。図６（ａ）（ｂ）（ｃ）はそれぞれ、図５のＡ−Ａ断面図、Ｂ−Ｂ断面図、及び図６（ａ）の断面Ｃ−Ｃである。図７は後述する内径側周状突起部１５０を示す図である。図４〜図７では口金筐体１００がアース端子１６０を有する状態で示している。口金筐体１００（図１）は、おおよそ、図６（ａ）において中心線１１を軸にＡ−Ａ断面を回転した回転体形状である。
【００２０】
口金筐体１００は、ベース部１１０、壁部１２０、内側筒部１３０（第２の筒部）、外側筒部１４０（第１の筒部）、ホルダー係止用凹み部１５１、１５２（係合部）を備える。
【００２１】
（ベース部１１０）
ベース部１１０は円盤状（板状）である。
【００２２】
（壁部１２０）
壁部１２０は、ベース部１１０の周縁からベース部１１０の厚さＢ（図６（ａ））の一方の厚さ方向に起立する環状である。壁部１２０の起立する方向を壁部起立方向１２と呼ぶ。
【００２３】
（内側筒部１３０，外側筒部１４０）
内側筒部１３０、外側筒部１４０は、二重円筒状に、壁部１２０の内側でベース部１１０から壁部起立方向１２に起立する。内側筒部１３０は、図６のように円盤状のベース部１１０の略中央部分から起立している。図６に示すように内側筒部１３０は中空円筒形状である。内側筒部１３０の内径側はアース端子１６０のピン部１６２と固着している。内側筒部１３０の外側には外側筒部１４０が形成されている。外側筒部１４０はやや横断面が楕円環状の筒である。
【００２４】
（ホルダー係止用凹み部１５１，１５２）
ホルダー係止用凹み部１５１，１５２（図５、図６）は、壁部１２０の内周側に内径側周状突起部１５０が形成される。図６に示すように内径側周状突起部１５０は、壁部１２０の内径側を一周するように形成され、内径側周状突起部１５０には、ホルダー係止用凹み部１５１，１５２が形成される。図７（ｂ）のように内径側周状突起部１５０は段付きの形状であり、当接部１５５で内径が小さくなる。この当接部１５５がホルダー２００のホルダー側係合凸部２２１，２２２（ホルダー側係合部）と当接して、ホルダー２００に対する口金筐体１００の差し込みがそれ以上できなくなる。ホルダー係止用凹み部１５１，１５２は高さＨ（図７（ａ））、内周方向の幅Ｗ（図６（ｂ））の溝であり、図７（ａ）の断面で見た場合、点Ｐの左側の四角形の部分が溝となっている形状である。ホルダー側係合凸部２２１，２２２は、この溝に係合する形状に形成されている。ホルダー係止用凹み部１５１，１５２は、図６（ａ）（ｃ）のように、内径側周状突起部１５０に２箇所配置される。ホルダー係止用凹み部１５１，１５２の個数、配置角度は一例である。ホルダー係止用凹み部１５１，１５２は、それぞれ、後述するホルダー２００のホルダー側係合凸部２２１，２２２（図１０）と係合する。ホルダー係止用凹み部１５１，１５２（係合部）とホルダー側係合凸部２２１，２２（被収納体側係合部）との係合関係は、後述する図２０の説明で後述する。
【００２５】
（アース端子１６０）
アース端子１６０（柱状部）は、図６（ａ）のように、壁部起立方向１２と反対方向にベース部１１０から起立する。樹脂で成形されるときには、口金筐体１００は、口金筐体用の金型にアース端子１６０がインサートされた状態で成形（インサート成形）される。外側板部１６１と内側板部１６４とは同じ形状であり、９０°向きが異なる。図４、図６に示すように、アース端子１６０は、内側筒部１３０及び外側筒部１４０が起立するベース部１１０の反対側において、内側筒部１３０と略同じ位置（ベース部１１０の略中央部分）から壁部起立方向１２（図６（ａ））と反対方向に起立する。
【００２６】
（ホルダー２００）
次に図８〜図１２を参照してホルダー２００（被収納体）を説明する。図８は、ホルダー２００の斜視図である。図９は、ホルダー２００の図８とは別の方向の斜視図である。図１０は、ホルダー側筒部２４０が見える斜視図である。図１１は、ホルダー２００の六面図である。図１１（ａ）（ｂ）（ｃ）（ｄ）（ｅ）（ｆ）それぞれ、正面図、右側面図、底面図、左側面図、上面図、背面図である。図１２は、ホルダー２００の断面図である。図１２（ａ）（ｂ）はそれぞれ図１１（ａ）の断面Ａ−Ａ、断面Ｂ−Ｂを示す。ホルダー２００は後述する図１９（４−３）のように、照明ランプ９００組立て後において、口金筐体１００のベース部１１０と壁部１２０とで形成される筐体空間１０１に収納される被収納体である。ホルダー２００は、口金筐体１００と同様に樹脂で成形される。
【００２７】
（ホルダー２００の構成）
ホルダー２００は、図８〜図１０のように、ホルダー側ベース部２１０、ホルダー側係合凸部２２１，２２３、ホルダー側変位抑制部２３０、ホルダー側筒部２４０を備えている。ホルダー側変位抑制部２３０は、筒部形成部２１０ｂ（図１０）におけるホルダー側筒部２４０の根元の領域である。
【００２８】
（ホルダー側ベース部２１０）
ホルダー側ベース部２１０（被収納側ベース部）は、口金筐体１００のベース部１１０と同様に円盤状である。照明ランプ９００の組立て後において、ホルダー側ベース部２１０は、口金筐体１００のベース部１１０に対向して配置される（後述の図１３、図１９（４−３））。図８のように、ホルダー側ベース部２１０は、ヒートシンク取付部２１１と、筒管ガイド部２１２と、ホルダー側筒部２４０とを備える。照明ランプ９００組立て状態においてホルダー側ベース部２１０は、ベース部１１０に対向するが、組立て状態で、ヒートシンク取付部２１１は、ベース部１１０に対向する側の反対側のホルダー側ベース部２１０の周縁の一部（図８の矢印１３の範囲）に沿って、配置（図８の矢印１３の範囲）される。
（１）ヒートシンク取付部２１１は、長手形状をなすヒートシンク４００（後述する図１４、図１６等）の一端が取り付けられる。ヒートシンク取付部２１１は、図８のように、ホルダー側ベース部２１０から矢印１８の方向に起立する中空形状であり、その水平断面（矢印１８方向を法線とする断面）は偏平した中空楕円形状である。照明ランプ９００組立て後はベース部１１０とホルダー側ベース部２１０とは対向するので、矢印１８方向は照明ランプ９００において、図６の壁部起立方向１２と一致する。つまり、ヒートシンク取付部２１１は照明ランプ９００装に着状態で、壁部起立方向１２に起立する。開口である挿入口２１１ａは、ヒートシンク４００（例えばアルミ製）の一方の端部が挿入される。ヒートシンク取付部２１１にはスリット２１１ｂが形成されている。
（２）筒管ガイド部２１２は、照明ランプ９００の組立て時において、筒管ガイド部２１２の外周側の外周部２１２ｃ（図８、図９）が、ヒートシンク取付部２１１の外周側の外周部２１１ｃ（図８）と共に、筒管６００（筒管６００の端部の内周面）をガイド（図１９（４−３））する。図９のように、ホルダー側ベース部２１０には図９の破線矢印１４の方向と直交する方向を長手方向とする、細長い略楕円状の貫通穴２１０ｃが形成されている。貫通穴２１０ｃは、ホルダー側ベース部２１０のうち、ホルダー側筒部２４０の底面に相当する部分がくり抜かれた形状である（図１１、図１２）。後述のように、組立て時には、アース端子１６０の内側板部１６４が貫通穴２１０ｃを通過し、口金筐体１００がホルダー２００に係合されて、口金筐体１００がホルダー２００に装着される（図１３、図１９の（４−３）、図２０等）。内側板部１６４が貫通穴２１０ｃを通過し、口金筐体１００がホルダー２００に装着されることで、アース端子１６０に対する引き抜き方向の力が加わった際に、口金筐体１００のベース部１１０における応力集中を抑制することができる。なお、貫通穴２１０ｃをあけることでホルダー側ベース部２１０の剛性及び強度が低下するが、ホルダー側筒部２４０及び筒管ガイド部２１２等は、この剛性及び強度の低下分を一部補う効果をもつ。
【００２９】
（ホルダー側係合凸部２２１、２２２）
ホルダー側係合凸部２２１，２２２（被収納側係合部）は、それぞれ口金筐体１００のホルダー係止用凹み部１５１，１５２と係合することで、照明ランプ９００組立て後において、口金筐体１００に対する壁部起立方向１２へのホルダー２００の移動、及び口金筐体１００に対する相対的な回転を拘束する。図８〜図１１に示すように、ホルダー側係合凸部２２１，２２２は、ホルダー係止用凹み部１５１、１５２に対応して、ホルダー側ベース部２１０の外周部２１０ａに形成される。ホルダー側係合凸部２２１，２２２は、それぞれホルダー係止用凹み部１５１、１５２と係合する。ホルダー側係合凸部２２１，２２２は、ホルダー側ベース部２１０の略円形状の外周に、２箇所、１８０°の位置に配置したが一例である。ホルダー側係合凸部の個数、配置角度等は限定されないのは、ホルダー係止用凹み部１５１と同様である。図１９等で述べるように、ホルダー側係合凸部２２１，２２２の形状（突起形状）は、凹みであるホルダー係止用凹み部１５１，１５２へ適合して嵌る形状に形成された凸形状である。ホルダー側係合凸部２２１，２２２とホルダー係止用凹み部１５１，１５２との係合関係は図２０の組立て工程の説明で後述する。
【００３０】
（ホルダー側変位抑制部２３０）
ホルダー側ベース部２１０は、略円盤状のホルダー側ベース部２１０の中心部分領域に、ホルダー側変位抑制部２３０（被収納側変位抑制部）を有する。ホルダー側変位抑制部２３０は、筒部形成部２１０ｂ（図１０）におけるホルダー側筒部２４０の根元の領域である。ホルダー側変位抑制部２３０は、照明ランプ９００において、ベース部１１０に加わる力（図１３のＦ２）、あるいはアース端子１６０を介してベース部１１０に加わる力（図１３のＦ１）による外側筒部１４０の壁部起立方向１２への変位を、外側筒部１４０の外側筒部先端部１４１（図６（ｂ）、図１３）と当たることで抑制する。なお、ホルダー側変位抑制部２３０の裏にはヒートシンク取付部２１１の上面部２１１ｅ（図９）が横切っているので、ホルダー側変位抑制部２３０の強度を高めている。また、上面部２１１ｅにはネジ貫通穴２１１ｄが開けられた厚板部２１１ｆ（図９）によってさらに補強されている。さらにホルダー側変位抑制部２３０の裏にはヒートシンク４００が取り付けられるので、この点からも変形せず、強度が保たれる。上面部２１１ｅは正面図である図１１（ａ）において、位置直線形状ではなく、横長の富士山形なので、さらに、強度が高くなっている。さらに、ヒートシンク取付部２１１は、ヒートシンク４００に隙間なくネジ５００で固定されるので変形しない。なお、ネジ５００の位置はホルダー側変位抑制部２３０の裏側直近である。
【００３１】
（ホルダー側筒部２４０）
図１０に示すように、ヒートシンク取付部２１１が形成されるホルダー側ベース部２１０の裏側は筒部形成部２１０ｂをなし、ホルダー側筒部２４０が形成されている。ホルダー側筒部２４０は円盤形状のホルダー側ベース部２１０（筒部形成部２１０ｂ）のほぼ中央部分から起立している。筒の内径側の形状（断面形状）は楕円形状あるいは長方形の２つの短辺にそれぞれ円弧形状の部分（例えば半円）をつないだ形状である。ホルダー側筒部２４０は内側筒部１３０及び外側筒部１４０と入れ子状に組み合う（図１３）。
【００３２】
（寸法）
（１）アース端子１６０について、内側板部１６４の寸法を図６（ａ）（ｂ）に示すように、短辺をＬ１（１６４）、長辺をＬ２（１６４）とする。
つまり、
Ｌ２（１６４）＞Ｌ１（１６４）
である。
（２）内側筒部１３０の外径をＤ（１３０）とする（図６（ｃ））。
（３）ホルダー側筒部２４０の内径側短辺をＬ１（２４０）、
内径側長辺をＬ２（２４０）とする（図１１（ｆ））。
つまり、
Ｌ２（２４０）＞Ｌ１（２４０）
である。このとき、図１３に示すように、外側筒部１４０の内径側とホルダー側筒部２４０の外径側の形状は、わずかな隙間を残してホルダー側筒部２４０が外側筒部１４０に挿入できるように形成されている。また、アース端子１６０の内側板部１６４の短辺Ｌ１（１６４）及び長辺Ｌ２（１６４）と、内側筒部１３０の外径Ｄ（１３０）と、ホルダー側筒部２４０の内径側短辺Ｌ１（２４０）及び内径側長辺Ｌ２（２４０）との長さ関係は、以下の様である。
長辺Ｌ２（１６４）＞内径側短辺Ｌ１（２４０）、
長辺Ｌ２（１６４）＜内径側長辺Ｌ２（２４０）、
内径側短辺Ｌ１（２４０）＞外径Ｄ（１３０）、
である。
よって、
（１）ホルダー側筒部２４０は外側筒部１４０の内部に挿入されるとき、長辺Ｌ２（１６４）に着目すると、
（２）内側板部１６４とホルダー側筒部２４０の長辺方向を一致させることで内側板部１６４をホルダー側筒部２４０の内部に挿入できる。そして挿入した後にアース端子１６０（アース口金筐体１００）を９０度回すことで図１３の状態となり、内側板部１６４の長辺とホルダー側筒部２４０の長辺の方向が直交するようになり、
長辺Ｌ２（１６４）＞内径側短辺Ｌ１（２４０）、
の状態となる。また、このときホルダー係止用凹み部１５１，１５２がホルダー側係合凸部２２１，２２２と係合する。
【００３３】
次に図１３〜図１９を参照して、アース口金３００Ｅを有する照明ランプ９００の組立て手順を説明する。図１３は、照明ランプ９００組立て後の口金筐体１００とホルダー２００との位置関係を示す図である。図１３は図１９（４−３）に対応する。図１４は、口金筐体１００と、ホルダー２００と、光源ユニット７００との関係を示す図である。図１５は、図１４の光源ユニット７００のＨ−Ｈ断面図である。図１６、図１７、図１８、図１９は、ホルダー２００と光源ユニット７００との組付け工程を示す図である。図２０は照明ランプ９００の組立工程における、ホルダー係止用凹み部とホルダー側係合凸部との係合を説明する図である。
【００３４】
（照明ランプの組立て手順）
（組立て手順１）
図１６のように、まずホルダー２００を光源ユニット７００に挿入（圧入）する。ここで、光源ユニット７００は、ＬＥＤ７１１が実装されたＬＥＤ基板７１０（ライトバー）と、ヒートシンク４００とを備える。組立て手順を具体的に説明する。図１６（１−１）、（１−２）に示すように、ホルダー２００のヒートシンク取付部２１１の挿入口２１１ａを、ヒートシンク４００の端部に挿入する。
【００３５】
（組立て手順２）
次に、ホルダー２００と光源ユニット７００とをネジ５００でネジ止めする。図１７（２）は、ネジ５００でネジ止めした状態を示す。ネジ５００は、図８、図９で説明すれば、破線矢印１４の方向に挿入されることとなり、ヒートシンク取付部２１１の上部（破線矢印１４の方向を下部、反対方向を上部と呼ぶ）に形成されたネジ貫通穴２１１ｄを貫通し、図１４に示す、ヒートシンク４００の上面に形成された上面ネジ穴４０１にネジ込まれて、ホルダー２００とヒートシンク４００とを締結する。図１４のＨ−Ｈ断面を示す図１５に、ヒートシンク４００の上面に形成された上面ネジ穴４０１を示した。
【００３６】
（組立て手順３）
次に、筒管６００に、ネジ５００でホルダー２００が締結された光源ユニット７００を挿入する。図１８（３−１）（３−２）は、筒管６００への挿入工程を示す。筒管６００の端部は、ヒートシンク取付部２１１の外周部２１１ｃと、筒管ガイド部２１２の外周部２１２ｃとで受ける（図８）。
【００３７】
（組立て手順４）
次に、アース端子１６０を有する口金筐体１００を、ホルダー２００に覆合する。図１９（４−１）（４−２）（４−３）は、口金筐体１００をホルダー２００に取り付ける工程を示す。口金筐体１００のホルダー２００への装着は、口金筐体１００の内周側に形成されたホルダー係止用凹み部１５１，１５２（図６）と、ホルダー２００のホルダー側ベース部２１０の外周部２１０ａに形成されたホルダー側係合凸部２２１，２２２（図１０）との係合による。図１９（４−１）のように、ホルダー２００を右方向１５（以下、係合方向１５という）へ移動させて、ホルダー係止用凹み部１５１，１５２とホルダー側係合凸部２２１とを係合させる。図１９（４−１）（４−２）（４−３）はそれぞれ、係合前、係合直前、係合後を示す。図１９（４−１）（４−２）では、アース端子１６０の内側板部１６４の長辺方向と、ホルダー側筒部２４０の長辺方向を一致させて、口金筐体１００を係合方向１５に差し込む。図２０はホルダー係止用凹み部１５１，１５２とホルダー側係合凸部２２１，２２２との係合状態を説明するための模式図であり、図１９（ａ）の係合方向１５の矢視を示すが、つまりθ１＝９０度程度で、口金筐体１００をホルダー２００に差し込む。θ１＝９０°程度を保ちながら口金筐体１００を差し込んでいくと、ホルダー側係合凸部２２１，２２２が内径側周状突起部１５０の当接部１５５（図７（ｂ））と当接し、それ以上差し込めなくなる。この状態で、口金筐体１００を図２０のθ１が小さくなる方向に回転させてやると、ホルダー係止用凹み部１５１，１５２がそれぞれホルダー側係合凸部２２１，２２２に嵌り、口金筐体１００のホルダー２００への係合が完了する。
【００３８】
（組立て手順５）
給電口金も同様の手順で取り付ける。
【００３９】
なお、図６（ａ）に示すように、ピン部１６２はその周囲にフランジ部１６３を有する。フランジ部１６３はアース端子１６０に加わる力（図１３のＦ１）の一部を受けることができる。また、図示はしていないが、図６（ａ）の破線領域１６５には、フランジ部１６３同様の第２フランジ部１６５−１を形成してもよい。第２フランジ部１６５−１は、例えば平歯車形状である。第２フランジ部１６５−１を平歯車と仮定すれば、中心線１１が平歯車の回転軸である。第２フランジ部１６５−１を平歯車形状とすることで、アース端子１６０の中心線１１まわりの口金筐体１００に対する回転と、壁部起立方向１２と反対方向へのアース端子１６０の抜けを防止できる。
【００４０】
図１３の状態では外側筒部先端部１４１とホルダー側変位抑制部２３０との間は１ｍｍ程度の隙間である。また、図１３において、内側筒部１３０の外径側と、ホルダー側筒部２４０の筒部内径部２４１との隙間は、内側筒部１３０の外径の全周にわたって１ｍｍ程度である。よって、照明ランプ９００としての完成品状態においてアース端子１６０に加わる力、ベース部１１０に加わる力等によりベース部１１０が弾性変形して外側筒部先端部１４１が係合方向１５へ変位し及び係合方向１５に対して直交する方向へ変位した場合に、ホルダー側筒部２４０とホルダー側変位抑制部２３０によって、変位を規制することができる。図１３に示すように、アース端子１６０に衝撃が加わった際には、外側筒部先端部１４１の変位はホルダー側変位抑制部２３０によって規制することができ、内側筒部１３０のこじれやぶれはホルダー側筒部２４０の筒部内径部２４１で規制することができる。よってアース端子１６０の変位やぶれが規制され、ベース部１１０におけるピン部１６２の根元周辺の応力集中が緩和される。また、１ｍｍ程度の隙間を設けているので、設計上の寸法公差を例えば０．８ｍｍ程度とすることで、ホルダー係止用凹み部がホルダー側係合凸部と係合終了前に突出先端部１３１がホルダー側変位抑制部２３０に当たってしまう不具合品の発生を低減できるので、歩留まりが向上する。また、ホルダー２００は、ヒートシンク取付部２１１を兼用するので、突出先端部１３１の変位を規制する専用部品を用意する必要がないので、部品点数の増加を抑えることができる。
【００４１】
このように、実施の形態１のアース口金３００Ｅによれば、口金筐体（樹脂筐体）とは別の衝撃緩和部材（ホルダー２００）が、アース端子の変移を規制し、また、衝撃を緩和する。このため、ホルダー２００を口金筐体１００に装着すれば、アース端子１６０が直管形ＬＥＤランプ内部方向に変移した場合に、ホルダー２００が、アース端子１６０の所定以上の変位を規制する。よってホルダー２００により、口金筐体（樹脂キャップ）のアース端子の付根部分に対する応力集中を緩和し、口金筐体（樹脂キャップ）の破損を回避することができる。
【００４２】
なお、実施の形態１では、ホルダー側係合凸部２２１，２２２の配置は図１０のように、１８０度対称の位置に計２個を配置したが、図２１のようにホルダー側係合凸部２２３，２２４，２２５の３ヵ所設けてもよい。図２１（ａ）は図６（ａ）に相当し、図２１（ｂ）は、図２１（ａ）の断面Ａ−Ａに相当する断面である。
【００４３】
また、実施の形態１では口金筐体１００に凹部（ホルダー係止用凹み部１５１等）を設け、ホルダー２００に凸部（ホルダー側係合凸部２２１等）を設けたが、凹凸を逆にし、口金筐体１００に凸部を設け、ホルダー２００に凹部を設けても構わない。あるいは口金筐体１００に凹部と凸部を設け、ホルダー２００には、これらとそれぞれ係合する凸部と凹部を設けても構わない。
【００４４】
実施の形態２．
図２２、図２３を参照して実施の形態２の、給電口金３００Ｆを説明する。実施の形態２では実施の形態１と異なる点を説明する。図２２は、給電口金３００Ｆの正面図、左側面図、右側面図を示す。図２３は、図２２のＡ−Ａ断面、Ｂ−Ｂ断面を示す。なお、図２３において給電端子３１０Ｆは曲げ箇所３０１Ｆまで幅Ｂ２で形成され、それ以降は幅Ｂ１で形成される。
【００４５】
実施の形態１ではアース端子１６０を有するアース口金を述べたが、実施の形態１のホルダー側変位抑制部２３０（ホルダー２００）による外側筒部先端部１４１の変位規制や、内側筒部１３０の先端の変位規制は、給電口金にも適用することができる。実施の形態２では、給電口金への適用を説明する。給電口金３００Ｆでは、アース口金における外力や衝撃が加わるアース端子１６０（柱状部）に相当する部位は、給電口金の外側に突き出たそれぞれの給電端子の部分３１１Ｆ，３２１Ｆ（二本の給電端子の他端）である。図２３に示す破線２８は給電側の口金に設けられる、ホルダー側変位抑制部２３０の位置を示す。給電側の口金においても、図２３（ａ）のＡ−Ａ断面図のように、破線２８と、給電ピンの部分３１２Ｆ，３２２Ｆの端部との隙間は１ｍｍ程度である。
【００４６】
実施の形態２のように、給電口金３００Ｆにも内側筒部１３０、外側筒部１４０を設け、相手のホルダーにホルダー側筒部２４０を有するホルダー２００を用いる。この構成によって、実施の形態１の構成を、給電口金へ適用した場合にも、実施の形態１と同様の効果を得ることができる。
【００４７】
給電口金３００Ｆでは、給電端子３１０Ｆ、３２０Ｆの給電ピンの部分３１２Ｆ，３２２Ｆは、例えば、内側筒部１３０の内部に埋まるようにインサート成形される。
【００４８】
以上の実施の形態１〜２により、口金の内側筒部１３０、外側筒部１４０の変位を規制できる。よって、口金筐体の強度及び耐衝撃性を向上できる。
【００４９】
以上、実施の形態１，２を説明したが、これらの実施の形態のうち、２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明はこれらの実施の形態に限定されるものではなく、必要に応じて種々の変形が可能である。
【符号の説明】
【００５０】
１１  中心線、１２  壁部起立方向、１３  矢印、１４  破線矢印、１５  係合方向、１６  線、１７  破線、１８  矢印、１００  口金筐体、１０１  筐体空間、１１０  ベース部、１２０  壁部、１３０  内側筒部、１４０  外側筒部、１４１  外側筒部先端部、１５０  内径側周状突起部、１５１，１５２，１５３  ホルダー係止用凹み部、１５５  当接部、１６０  アース端子、１６１  外側板部、１６２  ピン部、１６３  フランジ部、１６４  内側板部、２００  ホルダー、２１０  ホルダー側ベース部、２１０ａ  外周部、２１０ｂ  筒部形成部、２１０ｃ  貫通穴、２１１  ヒートシンク取付部、２１１ａ  挿入口、２１１ｂ  スリット、２１１ｃ  外周部、２１１ｄ  ネジ貫通穴、２１１ｅ  上面部、２１１ｆ  厚板部、２１２  筒管ガイド部、２１２ｃ  外周部、２２１，２２２，２２３，２２４，２２５  ホルダー側係合凸部、２３０  ホルダー側変位抑制部、２４０  ホルダー側筒部、２４１  筒部内径部、３００Ｅ  アース口金、３００Ｆ  給電口金、３１０Ｆ，３２０Ｆ  給電端子、３１１Ｆ，３１２Ｆ，３２１Ｆ，３２２Ｆ  部分、４００  ヒートシンク、４０１  上面ネジ穴、４２０  変位抑制部、５００  ネジ、６００  筒管、７００  光源ユニット、７１０  ＬＥＤ基板、７１１  ＬＥＤ、９００  照明ランプ、１０００  照明器具、１０１０  器具本体、１０２０Ｅ  アース側ソケット、１０２０Ｆ  給電側ソケット。
【図１】
2015176838.tif 000003
【図２】
2015176838.tif 000004
【図３】
2015176838.tif 000005
【図４】
2015176838.tif 000006
【図５】
2015176838.tif 000007
【図６】
2015176838.tif 000008
【図７】
2015176838.tif 000009
【図８】
2015176838.tif 000010
【図９】
2015176838.tif 000011
【図１０】
2015176838.tif 000012
【図１１】
2015176838.tif 000013
【図１２】
2015176838.tif 000014
【図１３】
2015176838.tif 000015
【図１４】
2015176838.tif 000016
【図１５】
2015176838.tif 000017
【図１６】
2015176838.tif 000018
【図１７】
2015176838.tif 000019
【図１８】
2015176838.tif 000020
【図１９】
2015176838.tif 000021
【図２０】
2015176838.tif 000022
【図２１】
2015176838.tif 000023
【図２２】
2015176838.tif 000024
【図２３】
2015176838.tif 000025